(57)【要約】【課題】  食料品や医薬品等の低温輸送が必要な荷物の配送において、当該荷物が高温雰囲気や室温雰囲気に曝されて変質したことを確実に検知し、短い時間で荷物の再送を行うことができる配送用ラベル及び配送流通システムを提供する。【解決手段】  小売店において、配送用ラベル４００をチェックした配送担当者は配送予定の商品が高温雰囲気に曝され、品質に問題があることを検知し、携帯電話１００に配送用ラベル４００を撮像させ、この画像データを基地局２００経由で倉庫２０へ送信させる。倉庫２０のコンピュータ３００は携帯電話１００からデータを受信し、受信した画像データを解析し、配送管理ＤＢ３２０と、在庫管理ＤＢ３１０とをアクセスして再送用の商品を割り当て、自身の表示部にメッセージを表示させ、あるいは、工場３０のコンピュータ５００にメッセージを表示させて再送担当者に再送を指示する。【選択図】  図１
2006065374.tif 000002
【特許請求の範囲】
【請求項１】
基材上に網掛け部、温度管理媒体及び機械的に読み取られる情報Ａを順に重ねて配してなるシートであって、
前記温度管理媒体は所定の温度域を境として有色から無色に変化し、変色前には前記情報Ａが視認可能であり、変色後には前記情報Ａが視認困難である
ことを特徴とするシート。
【請求項２】
基材上に機械的に読み取られる情報Ａ及び温度管理媒体を順に重ねて配してなるシートであって、
前記温度管理媒体は所定の温度域を境として有色から無色に変化し、変色前には前記情報Ａが視認困難であり、変色後には前記情報Ａが視認可能である
ことを特徴とするシート。
【請求項３】
前記情報Ａは、文字、数字、図、バーコード、２次元コード、のうち少なくとも１つであることを特徴とする請求項１または請求項２に記載のシート。
【請求項４】
基材上に網掛け部、温度管理媒体及び機械的に読み取られる情報Ａを順に重ねて配してなり、記載された情報Ｂを具備し、配送品と共に配送されるシートと、
前記情報Ｂを読み取るデータ取得手段と、
前記データ取得手段が得た前記情報Ｂを配送元へ発信する送信手段とを少なくとも具備し、
前記温度管理媒体は所定の温度域を境として有色から無色に変化し、変色前には前記情報Ａが視認可能であり、変色後には前記情報Ａが視認困難である
ことを特徴とする配送流通システム。
【請求項５】
前記送信手段から前記情報Ｂを受け取る受信手段と、前記受信手段が受けた前記情報Ｂに基づいて前記配送品に関する再配送指示を出力する報知手段とを備えてなるコンピュータを更に具備することを特徴とする請求項４に記載の配送流通システム。
【発明の詳細な説明】
【技術分野】
【０００１】
本発明は、食料品や医薬品等の低温輸送が必要な商品の配送のための配送用ラベル及び配送流通システムに関するものである。
【背景技術】
【０００２】
近年、食品や医薬品等のように冷凍あるいは冷蔵した状態で配送される荷物の増加に伴い、これらの荷物を配送先まで予め決められた低温に保ちながら運搬する宅配便等のサービスが広く普及している。このような宅配便サービス業者は、例えば集荷元の冷凍・冷蔵施設から配送車へ荷物を積み込む場合や配送車間で荷物を積み替える場合、あるいは、配送車から荷物を取り出して配達先へ配達する場合に、冷凍・冷蔵状態を保つべき荷物を直射日光による高温雰囲気や室温雰囲気に曝すことがある。特に夏季などには直射日光や高温によって荷物の中身が変質し、あるいは雑菌の繁殖などのために本来の品質が損なわれることがある。
【０００３】
このような問題点に対して、特許文献１には温度管理媒体が開示されている。この温度管理媒体は、温度管理媒体自身の氷結する温度以下の条件下では白色となり、その後、直射日光等により再び融解した時、透明に変わる。即ち、予め荷物に特許文献１に記載の温度管理媒体を添付し、荷物の積み下ろしの際にこの温度管理媒体をチェックすることによって温度による劣化等が発生した恐れがあるか否かを容易に発見することが出来るようになる。
【０００４】
しかし、特許文献１に記載の技術は、直射日光による高温雰囲気や室温雰囲気に荷物が曝されて変質したことを、宅配便サービス業者が温度管理媒体を取り出して目視確認するものである。このため、温度管理媒体の変化に気がつくのが遅れると、そのまま荷物が送られ、あるいは荷物の再送に長い時間がかかる問題点がある。また、特許文献２に開示されている温度表示用シート及び、特許文献３に開示されている温度管理ラベルについても、この問題点を解決するものではない。
【特許文献１】特願２００３−４２８２９９号公報
【発明の開示】
【発明が解決しようとする課題】
【０００５】
本発明は上記の事情を考慮してなされたもので、その目的は、食料品や医薬品等の低温輸送が必要な荷物の配送において、当該荷物が高温雰囲気や室温雰囲気に曝されて変質したことを確実に検知し、短い時間で荷物の再送を行うことができる配送用ラベル及び配送流通システムを提供することである。
【課題を解決するための手段】
【０００６】
この発明は前述の課題を解決するためになされたもので、請求項１の発明は、基材上に網掛け部、温度管理媒体及び機械的に読み取られる情報Ａを順に重ねて配してなるシートであって、前記温度管理媒体は所定の温度域を境として有色から無色に変化し、変色前には前記情報Ａが視認可能であり、変色後には前記情報Ａが視認困難であることを特徴とするシートである。
【０００７】
請求項２に記載の発明は、基材上に機械的に読み取られる情報Ａ及び温度管理媒体を順に重ねて配してなるシートであって、前記温度管理媒体は所定の温度域を境として有色から無色に変化し、変色前には前記情報Ａが視認困難であり、変色後には前記情報Ａが視認可能であることを特徴とするシートである。
【０００８】
請求項３に記載の発明は、請求項１または請求項２に記載のシートであって、前記情報Ａは、文字、数字、図、バーコード、２次元コード、のうち少なくとも１つであることを特徴とするものである。
【０００９】
請求項４に記載の発明は、基材上に網掛け部、温度管理媒体及び機械的に読み取られる情報Ａを順に重ねて配してなり、記載された情報Ｂを具備し、配送品と共に配送されるシートと、前記情報Ｂを読み取るデータ取得手段と、前記データ取得手段が得た前記情報Ｂを配送元へ発信する送信手段とを少なくとも具備し、前記温度管理媒体は所定の温度域を境として有色から無色に変化し、変色前には前記情報Ａが視認可能であり、変色後には前記情報Ａが視認困難であることを特徴とする配送流通システムである。
【００１０】
請求項５に記載の発明は、請求項４に記載の配送流通システムであって、前記送信手段から前記情報Ｂを受け取る受信手段と、前記受信手段が受けた前記情報Ｂに基づいて前記配送品に関する再配送指示を出力する報知手段とを備えてなるコンピュータを更に具備することを特徴とするものである。
【発明の効果】
【００１１】
請求項１の発明によれば、商品や荷物が高温雰囲気や室温雰囲気に曝された場合に機械読み取り情報であるバーコードなどが認識不能な状態となるため、配送者や受取人が異常を確実に検知することができる効果がある。
【００１２】
請求項２の発明によれば、商品や荷物が高温雰囲気や室温雰囲気に曝された際に、配送担当者等に再配送の手配を示すことが出来る効果がある。
【００１３】
請求項２の発明によれば、商品や荷物が高温雰囲気や室温雰囲気に曝されたことを配送担当者等に判りやすく示すことが出来る効果がある。
【００１４】
請求項４の発明によれば、高温雰囲気や室温雰囲気に曝された商品や荷物の再送の手配を確実かつ容易なものとすることができる効果がある。請求項５の発明によれば、再配送が必要な場合にこれを確実に報知することができる効果がある。
【発明を実施するための最良の形態】
【００１５】
以下、図面を参照し、この発明の実施の形態について説明する。図２は本実施の形態における配送流通システムを適用する小売店１０と、倉庫２０と、工場３０と、お客様４０との関係を表している。小売店１０は商品の顧客への販売、配送を行う小売店である。倉庫２０は商品を保管するための倉庫である。工場３０は商品を生産する工場である。また、顧客へ配送される商品は冷凍保存が必要な商品である。図２に示すように、本実施の形態においては商品が工場３０で生産されて倉庫２０に保管され、要求に応じて小売店１０へ運ばれ、そして、お客様４０のところへ配送される。
【００１６】
図１は本実施の形態における配送流通システムの構成を表している。また、図５は本実施の形態における配送流通システムのソフトウェア構成を表している。図１の携帯電話１００は倉庫２０から小売店１０への商品の配送を行う配送担当者が所有する携帯電話である。この携帯電話１００は撮像機能を備え、撮像した画像データをコンピュータ３００へ送信する。また、携帯電話１００は配送担当者の指示を受けて商品に貼られたラベルに記載のバーコードを撮像して解析し、商品に関する情報をコンピュータ３００へ送信する。
【００１７】
この携帯電話１００において、図５に示す制御部１０１は携帯電話１００の制御機能であり、詳細は後述する。通信処理部１０２は制御部１０１の指示を受けてデータの送受信を行う。画像処理部１０４は制御部１０１の指示を受けて画像を撮像し、画像データを生成して制御部１０１へ出力する。データ解析部１０３は制御部１０１の指示を受けて画像処理部１０４が撮像するバーコードを解析し、解析結果を制御部１０１へ出力する。
【００１８】
倉庫２０のコンピュータ３００は商品の引き当てと、在庫管理とを行うためのコンピュータである。このコンピュータ３００は商品の引き当てや在庫管理のために図６に示す形式の配送管理ＤＢ（Ｄａｔａ  Ｂａｓｅ）３２０と、図７に示す形式の在庫管理ＤＢ３１０とをアクセスする。図６の配送管理ＤＢ３２０において、受け付け番号は個々の発注及び配送を管理するための識別情報であり、商品の発注の際に付与される。商品コードは商品の識別情報である。数量は配送する商品の数を表す。配送先は商品の宛先を表す。配送日時は商品の配送予定の日付と、配送予定が午前か、あるいは午後かを表す。そして、備考は商品に関する注意事項などを表す。
【００１９】
図７の在庫管理ＤＢ３１０は商品の識別情報である商品コードと、商品の名称である商品名と、商品の在庫の数量を表す在庫と、商品の在庫の中で既に配送先が決まったものの個数を表す引き当て済み数量とからなる。
【００２０】
図５に示すコンピュータ３００において、制御部３０１はコンピュータ３００の制御機能であり、詳細は後述する。再送指示部３０２は制御部３０１の指示に基づいてコンピュータ３００の表示部に商品の再送指示を表示し、倉庫２０の再送担当者に報知する。通信処理部３０３は制御部３０１の指示に基づいてデータの送受信を行う。在庫管理部３０４は在庫管理ＤＢ３１０をアクセスする。データ管理部３０５は配送管理ＤＢ３２０をアクセスする。画像解析部３０６は制御部３０１の指示を受けて配送用ラベルの画像データの解析を行う。
【００２１】
図３の配送用ラベル４００は商品の受け付け番号が記載され（情報Ｂ）、商品に貼られる配送用のラベルである。温度管理媒体４１０は予め設定された氷結温度以下の条件においては白色であるが、この白色の状態の時に高温雰囲気に曝されるなどして氷結温度を超えた場合、透明に変化する温度管理媒体を透明なビニールでカバーしたものである。この温度管理媒体は前述の特許文献１に記載のものである。バーコード４２０は商品名と、商品の受け付け番号（再送情報）との情報を含むバーコードであり、温度管理媒体４１０の表面に印刷されている。
【００２２】
図４に示す様に、温度管理媒体４１０は配送用ラベル４００に貼り付けられる。この配送用ラベル４００上の貼り付け位置は、予め、バーコード４２０と同じ色に印刷された網掛け部４０２を備える。このため、バーコード４２０は、温度管理媒体４１０の氷結温度以下の状態においては温度管理媒体４１０が白色であるため、視認可能な状態となるが、その後で高温雰囲気に曝されるなどして温度管理媒体４１０の氷結温度を超えた場合に温度管理媒体４１０が透明となり、バーコード４２０が配送用ラベル４００の網掛け部４０２に重なるために視認できない状態となる。
【００２３】
コンピュータ５００は工場３０に設置されたパソコンであり、外部から商品の再送指示を受けた時、自身の表示部にこれを表示する。このように、本実施の形態においては工場からも直接発送を行うことにより、商品の再送を迅速なものとしている。
【００２４】
次に、図を参照して本実施形態における配送流通システムの動作について説明する。図８は本実施の形態における処理の流れを表している。いま、倉庫２０の配送担当者は、冷凍保存の必要な商品を小売店１０へ配送して納品しようとしている。配送担当者は商品に貼り付けられた図３に示す配送用ラベル４００のバーコード４２０を携帯電話１００に読み取らせながら納品作業を行っている。このため、配送担当者は配送用ラベル４００の温度管理媒体４１０も視認する。このとき、配送担当者は温度管理媒体４１０の色が透明に変化してバーコード４２０が視認できない状態となっており、即ち、商品が保存に適さない高温雰囲気に曝されたことを認識したとする。
【００２５】
配送担当者は当該商品が変質している可能性があり、再送が必要であると判断して携帯電話１００を配送用ラベル４００へ近づけ、配送用ラベル４００の撮像を指示する。携帯電話１００の制御部１０１は配送担当者の指示を受け、画像処理部１０４に画像の撮像を指示する。画像処理部１０４は制御部１０１からの指示を受け、携帯電話１００の撮像機能から配送用ラベル４００の画像データを得て（図８のステップＳ０１）、得られた画像データを制御部１０１へ出力する。
【００２６】
制御部１０１は画像処理部１０４からデータを入力し、入力した画像データを携帯電話１００の表示部へ出力して画像データを表示させる。配送担当者は携帯電話１００の表示部を参照し、配送用ラベル４００が正しく撮像されたことを認識する。
【００２７】
次に、配送担当者は商品の再送の手配のため、携帯電話１００に配送用ラベル４００の画像データのコンピュータ３００への送信を指示する。携帯電話１００の制御部１０１は配送担当者の指示を受け（図８のステップＳ０２）、商品の再送要求のために通信処理部１０２に先ほど得た画像データのコンピュータ３００への送信を指示する。通信処理部１０２は制御部１０１からデータを入力し、基地局２００を経由してコンピュータ３００へ入力した画像データを送信して商品の再送を要求する（図８のステップＳ０３）。
【００２８】
コンピュータ３００の通信処理部３０３は基地局２００を経由して携帯電話１００からデータを受信し（図８のステップＳ０４）、受信した画像データを制御部３０１へ出力する。制御部３０１は通信処理部３０３からデータを入力し、入力した画像データに対応する商品が何であるのかの確認を試みる。このため、制御部３０１は入力した画像データを画像解析部３０６へ出力して再送する商品に関する受け付け番号の抽出を要求する。
【００２９】
画像解析部３０６は制御部３０１からデータを入力し、入力した画像データが表す配送用ラベルの形状や文字の配置等から受け付け番号の記載位置を判断し、また、受け付け番号を構成する文字を認識して受け付け番号を得る。そして、画像解析部３０６は読み取った受け付け番号を制御部３０１へ出力する。
【００３０】
制御部３０１は画像解析部３０６からデータを入力し、入力した受け付け番号をデータ管理部３０５へ出力し、再送すべき商品の情報の取得を要求する。データ管理部３０５は制御部３０１からデータを入力し、記憶領域中の図６に示す配送管理ＤＢ３２０をアクセスし、入力した商品の受け付け番号に該当する列を読み出す（図８のステップＳ０５）。そして、データ管理部３０５は読み出したデータを制御部３０１へ出力する。
【００３１】
制御部３０１はデータ管理部３０５からデータを入力し、入力したデータ中の“商品コード”と、“数量”とを在庫管理部３０４へ出力し、再送が必要な商品の在庫からの引き当てを要求する。
【００３２】
在庫管理部３０４は制御部３０１からデータを入力し、図７に示す在庫管理ＤＢ３１０をアクセスし、制御部３０１から入力した“商品コード”に該当する“在庫”と、“引き当て済み数量”とを読み出す。そして、在庫管理部３０４は“在庫”−“引き当て済み数量”−“数量”を計算し、計算結果が０以上であるか否かをチェックする（図８のステップＳ０６）。このチェックは、現在の倉庫２０の在庫から引き当て済みの商品の数量を差し引いても、制御部３０１から要求された数量の商品を更に引き当て可能か否かの確認を行うためのものである。
【００３３】
在庫管理部３０４は、計算結果が０以上である場合には引き当てが可能であると判断し（図８のステップＳ０６が“Ｙｅｓ“）、在庫管理ＤＢ３１０をアクセスし、制御部３０１から入力した“商品コード”に該当する“引き当て済み数量”に制御部３０１から入力した“数量”を加算してセットする（図８のステップＳ０７）。そして、制御部３０１にＯＫを出力する。
【００３４】
制御部３０１は在庫管理部３０４からＯＫを入力し、商品の倉庫２０内の在庫からの引き当てが可能であったことを検知し、引き当てられた商品を再配送するため、再送指示部３０２に先ほどデータ管理部３０５から入力したデータを出力して再配送の指示を要求する。
【００３５】
再送指示部３０２は制御部３０１からデータを入力し、コンピュータ３００の表示部に入力したデータを表示させ（図８のステップＳ０８）、倉庫２０の再配送担当者に商品の再送が必要であることを報知する。倉庫２０の再配送担当者はコンピュータ３００の表示を確認し、商品の小売店１０への再送を行う。
【００３６】
また、在庫管理部３０４は、計算結果が０未満である場合（図８のステップＳ０６が“Ｎｏ“）、引き当てができなかったと判断し、制御部３０１にＮＧを出力する。制御部３０１は在庫管理部３０４からＮＧを入力し、倉庫２０内の在庫からの商品の引き当てができなかったことを検知し、商品を工場３０から再配送するため、再送指示部３０２に先ほどデータ管理部３０５から入力したデータを出力して工場３０への再配送の指示を要求する。
【００３７】
再送指示部３０２は制御部３０１からデータを入力し、入力したデータを通信処理部３０３経由で出力して工場３０のコンピュータ５００へ送信する（図８のステップＳ０９）。コンピュータ５００はネットワーク経由でコンピュータ３００からデータを受信し（図８のステップＳ１０）、自身の表示部に受信したデータを表示し（図８のステップＳ１１）、工場３０の再配送担当者に商品の再送が必要であることを報知する。工場３０の再配送担当者はコンピュータ５００の表示を確認し、商品の倉庫２０への再送を行う。
【００３８】
以上、図面を参照して本発明の実施形態について詳述してきたが、具体的な構成はこの実施の形態に限られるものではなく、この発明の要旨を逸脱しない範囲の設計変更等も含まれる。例えば、本実施の形態においては倉庫２０から小売店１０への商品の配送時に商品が高温雰囲気に曝された場合の再配送について説明したが、工場３０と、倉庫２０との間で商品が高温雰囲気に曝され、これを搬送担当者が検知した場合や、小売店１０と、お客様４０との間で商品が高温雰囲気に曝され、これを搬送担当者が検知した場合に関しても同じように再配送を行っても良い。
【００３９】
また、本実施の形態においては、商品の再配送を工場３０からお客様４０へ直接行っても良い。また、工場３０は農園や果樹園、水産物の取引業者等であっても良い。即ち、本実施の形態を農業や漁業等における産地直送等のサービスに適用しても良い。また、本実施の形態を飲食店による宅配サービスや、切花物流、血液や医薬品の輸送等に適用しても良い。また、本実施の形態を飛行機や船舶などで提供される食事の提供サービスや、学校や介護施設などで提供される給食の提供等のサービスにおいて使用されるフードサービスカートの温度管理に適用しても良い。
【００４０】
また、本実施の形態においては商品の再配送時に倉庫２０での引き当てができなかった場合、倉庫２０のコンピュータ３００は工場３０のコンピュータ５００に商品の発送を要求したが、コンピュータ３００が携帯電話１００に引き当ての失敗を通知することとしても良い。更に、携帯電話１００が工場３０のコンピュータ５００に再配送を指示しても良い。
【００４１】
また、本実施の形態における配送用ラベル４００においては温度管理媒体４１０上にバーコード４２０が印刷され、温度管理媒体４１０が位置する場所に網掛け部４０２があったが、図１２の（ｂ）に示すように網掛け部４０２を設けることはせずにバーコード４２０を配送用ラベル４００の基材４０１上に印刷する方法であっても良い。この場合には、バーコード４２０は商品が高温雰囲気に曝された際の再送情報を含むものである。配送担当者はこのバーコード４２０を携帯電話１００に読み取らせ、再配送の手配を行う。これにより、コンピュータ３００における画像の解析処理などが不要となり、コンピュータ３００の処理負荷を軽減できる効果がある。
【００４２】
また、本実施の形態における配送用ラベル４００は図９に示すものであっても良い。図９において、配送用ラベル４００上の温度管理媒体４１０の貼り付け位置には、上半分に商品が高温雰囲気に曝された際の再送情報を含むバーコード４２０ａが印刷され、下半分に網掛け部４０２を設けている。これにより、商品が高温雰囲気に曝された場合には、温度管理媒体４１０に印刷されたバーコード４２０は背景の網掛け部４０２と重なるために視認できなくなり、代わりにバーコード４２０ａが現われる。
【００４３】
この場合には、配送担当者はこのバーコード４２０ａを携帯電話１００に読み取らせ、携帯電話１００のデータ解析部１０３がバーコード４２０ａを解析し、解析結果を画像データの代わりにコンピュータ３００へ送信しても良い。この方法により、コンピュータ３００では画像解析部３０６が画像解析を行う必要は無くなる。そして、商品が高温雰囲気に曝された場合には、配送担当者がこのことに気がつかなくても、配送担当者自身が通常の商品配送の手順どおりに携帯電話１００にバーコード４２０ａを読み取らせ、携帯電話１００が商品の異常を検知するため、商品を確実に再送することが出来る効果がある。
【００４４】
また、本実施の形態における配送用ラベル４００は図１０に示すものであっても良い。図１０において、配送用ラベル４００上の温度管理媒体４１０の貼り付け位置に網掛部４０２を設ける代わりに警告を表すシンボルや警告文が記載されている。これにより、商品が高温雰囲気に曝された場合には警告を表すシンボルや警告文が現われ、配送者に直感的に商品に問題が発生していることを報知する効果がある。
【００４５】
また、本実施の形態における携帯電話１００をバーコードの読み取り機能を備えたＰＤＡ（Ｐｅｒｓｏｎａｌ  Ｄｉｇｉｔａｌ  Ａｓｓｉｓｔａｎｔｓ）やＰＨＳ（Ｐｅｒｓｏｎａｌ  Ｈａｎｄｙｐｈｏｎｅ  Ｓｙｓｔｅｍ）、あるいは、バーコードリーダで置き換えても良い。バーコードリーダを用いる場合には、当該バーコードリーダが携帯電話などとの接続部を備え、この携帯電話を経由してデータを送信しても良い。
【００４６】
また、本実施の形態における携帯電話１００は据え置き型のバーコードリーダやレジスター等であっても良い。この場合には倉庫２０のコンピュータ３００との通信は有線通信による方法であっても良い。
【００４７】
また、本実施の形態におけるバーコード４２０を２次元コードで置き換えても良い。また、本実施の形態において、図４に示す配送用ラベル４００上の網掛け部４０２はバーコード４２０が隠れる程度の大きさであっても良い。また、本実施の形態において、図４に示す配送用ラベル４００上の網掛け部４０２はバーコード４２０と同じ色であっても良い。あるいは、配送用ラベル４００上の網掛け部４０２と、バーコード４２０との反射率の差が携帯電話１００によって識別できない範囲であっても良い。
【００４８】
また、本実施の形態における配送用ラベル４００は図１１に示すように基材４０１の上に厚み調整材４３０を備えていても良い。複数の配送用ラベル４００を重ねて保存する場合等に温度管理媒体４１０を保護することができる効果がある。
【００４９】
また、本実施の形態における配送用ラベル４００は図１１に示すように基材４０１が粘着剤４６０と、剥離紙４４０とを備えていても良い。また、本実施の形態における配送用ラベル４００と、温度管理媒体４１０との間に接着剤を用いても良い。また、本実施の形態における基材４０１上に温度管理媒体４１０を配置する際に、温度管理媒体４１０を被覆するように別のシートを被せても良い。
【００５０】
また、本実施の形態における配送用ラベル４００は図１１に示すように基材４０１上に厚み調整材４５０を備えていても良い。複数の配送用ラベル４００を重ねて保存する場合等に温度管理媒体４１０によって生じる傾きを補正することができる効果がある。
【００５１】
また、本実施の形態における配送用ラベル４００は荷札のように荷紐等に取り付ける形態であっても良い。
【００５２】
また、本実施の形態における配送用ラベル４００は温度管理媒体４１０の配置箇所に網掛け部４０２を設けたが、温度管理媒体自身のバーコード４２０の記載された面の反対側に網掛け部４０２を設けても良い。この場合には配送用ラベル４００に網掛け部４０２を設ける必要は無い。このため、配送業者は現在使用している配送用ラベルに温度管理媒体４１０を貼り付けることによって本実施の形態と同様の効果を得ることができ、また、現在使用している配送用ラベルをそのまま使用できる効果がある。
【００５３】
また、本実施の形態における配送用ラベル４００は温度管理媒体４１０の配置箇所に網掛け部４０２を設けたが、この網掛け部４０２は１色に塗りつぶされる必要は無く、例えば縦縞模様や横縞模様、格子柄などであっても良い。即ち、携帯電話１００がバーコード４２０を認識することが困難な状態となればよい。
【００５４】
また、本実施の形態における温度管理媒体４１０は凍結後に高温雰囲気に曝されるなどして解凍されたとき、完全に透明となる必要は無く、網掛け部４０２がバーコード４２０を識別できる程度の透過色であっても良い。
【図面の簡単な説明】
【００５５】
【図１】本発明の実施の形態における配送流通システムの構成を表す図である。
【図２】本発明の実施の形態における配送流通システムを適用した例を表す図である。
【図３】本発明の実施の形態における配送流通システムにおいて使用されるラベルを表す図である。
【図４】本発明の実施の形態における配送流通システムにおいて使用されるラベルを表す図である。
【図５】本発明の実施の形態における配送流通システムの構成を表すブロック図である。
【図６】本発明の実施の形態における配送流通システムにおいて使用されるデータを表す図である。
【図７】本発明の実施の形態における配送流通システムにおいて使用されるデータを表す図である。
【図８】本発明の実施の形態における配送流通システムの処理の流れを表すフローチャートである。
【図９】本発明の実施の形態における配送流通システムにおいて使用されるラベルを表す図である。
【図１０】本発明の実施の形態における配送流通システムにおいて使用されるラベルを表す図である。
【図１１】本発明の実施の形態におけるラベルの例を表す図である。
【図１２】本発明の実施の形態におけるラベルの例を表す図である。
【符号の説明】
【００５６】
１０…小売店
２０…倉庫
３０…工場
４０…お客様
１００…携帯電話
１０１…制御部
１０２…通信処理部（送信手段）
１０３…データ解析部
１０４…画像処理部（データ取得手段）
２００…基地局
３００…コンピュータ
３０１…制御部
３０２…再送指示部（報知手段）
３０３…通信処理部（受信手段）
３０４…在庫管理部
３０５…データ管理部
３０６…画像解析部
３１０…在庫管理ＤＢ
３２０…配送管理ＤＢ
４００…配送用ラベル（シート）
４０１…基材
４０２…網掛け部
４１０…温度管理媒体
４２０，４２０ａ…バーコード（情報Ａ）
４３０…厚み調整材
４４０ａ、４４０ｂ…剥離紙
４５０…厚み調整材
４６０…粘着剤
５００…コンピュータ
ＮＷ…ネットワーク
【図１】
2006065374.tif 000003
【図２】
2006065374.tif 000004
【図３】
2006065374.tif 000005
【図４】
2006065374.tif 000006
【図５】
2006065374.tif 000007
【図６】
2006065374.tif 000008
【図７】
2006065374.tif 000009
【図８】
2006065374.tif 000010
【図９】
2006065374.tif 000011
【図１０】
2006065374.tif 000012
【図１１】
2006065374.tif 000013
【図１２】
2006065374.tif 000014